(57)【特許請求の範囲】
【請求項１】
排水配管上に配置される管トラップであって、
内部に上流からの排水が流入し、下方に流れる第一下降部２と、
内部に第一下降部２からの排水が流入し、上方に流れる上昇部４と、
第一下降部２下端と上昇部４下端を繋ぐ部分であって、平面視第一下降部２下端外周縁及び上昇部４下端周縁に外接するか、それ以上に外側方向に幅を有し、下方が開放された第一連続部３と、
からなるトラップ本体１ａと、
該トラップ本体１ａの第一連続部３の開口部分７を開放又は閉塞可能な第一蓋部材１ｂと、
側面視、内側面に第一下降部２から挿入された洗浄機具を上昇部４にガイドするガイド面８が第一蓋部材１ｂに構成されるとともに、
ガイド面８は、第一連続部３内周面と連続して繋がっていることを特徴とする管トラップ。
【請求項２】
上記管トラップにおいて、
第一蓋部材１ｂ及び第一連続部３を、平面視第一下降部２下端周縁及び上昇部４下端周縁に接するか、それ以上に外側方向に幅を有し、且つ第一下降部２及び上昇部４をその内部に収納する正円形状とすると共に、
該第一蓋部材１ｂは、第一連続部３及び第一蓋部材１ｂの円弧に沿って設けられた、ネジ又は回転ロック構造によって、回転させることでトラップ本体１ａに接続されることを特徴とする、請求項１に記載の管トラップ。
【請求項３】
上記管トラップにおいて、トラップ本体１ａに、
内部に上昇部４からの排水が流入し、下方に排出される第二下降部６を備え、
上昇部４上端と第二下降部６上端を繋ぐ部分であって、平面視上昇部４上端外周縁及び第二下降部６上端周縁に外接するか、それ以上に外側方向に幅を有し、上方が開放された第二連続部５と、
該トラップ本体１ａの第二連続部５の開口部分７を閉塞する第二蓋部材１ｂと、
側面視、内側面に上昇部４から挿入された洗浄機具を第二下降部６にガイドするガイド面８と、
を備えたことを特徴とする、請求項１又は請求項２に記載の管トラップ。
【請求項４】
上記管トラップにおいて、
第二蓋部材１ｂ及び第二連続部５を、平面視上昇部４上端周縁及び第二下降部６上端周縁に接するか、それ以上に外側方向に幅を有し、且つ上昇部４及び第二下降部６をその内部に収納する正円形状とすると共に、
該第二蓋部材１ｂは、第二連続部５及び第二蓋部材１ｂの円弧に沿って設けられた、ネジ又は回転ロック構造によって、回転させることでトラップ本体１ａに接続されることを特徴とする、請求項３に記載の管トラップ。
【請求項５】
上記管トラップにおいて、少なくとも上昇部４内部の金型を、連続部の開口部分７から抜き出すことで、インジェクション成形としたことを特徴とする、請求項１乃至請求項４のいずれか一つに記載した管トラップの製造方法。
【発明の詳細な説明】
【技術分野】
【０００１】
本発明は、排水トラップに関し、更に詳しくは、排水配管に組み込まれ、内部に排水を溜めることで配管上に満水状態部分を形成し、この満水状態部分によって下水など下流側からの臭気や害虫類の逆流を防止する、排水トラップの内、特に管体を屈曲させて構成した管トラップと呼ばれる排水トラップに関するものである。
【背景技術】
【０００２】
従来より、洗面台や流し台等の槽体の内部に生じた排水を処理するため、槽体の底面に排水口を設け、この排水口から排水配管を介し下水側に排水を排出する排水配管構造が広く知られている。この排水配管構造において、単純に配管を上方から下方に直線的に接続すると、下水側の臭気や害虫類が屋内側に侵入するため、これを防止するために、排水配管上に、排水トラップと呼ばれる排水装置を接続することが知られている。
特許文献１に記載の従来の排水配管は、槽体である洗面ボウルの底面に設けた排水口からの排水を、管体からなる排水配管によって下水側の配管である床下配管に接続した排水配管であって、配管の途中部分に、管トラップと呼ばれる、管体をＳ字形状に屈曲させた排水トラップを接続してなる。
管トラップは、Ｕ字形状に屈曲させた管体を二つ組み合わせ、横に倒したＳ字形状のように構成した部材であり、また上流側の屈曲の下端部分に枝管部分を設け、この枝管部分を蓋部材にて閉塞してなる。
洗面台を使用し、排水配管内に排水が流れると、この上流側のＵ字形状の屈曲部分に排水が溜まって管トラップの流路の少なくとも一部が満水状態となる。
臭気や害虫類はこの満水部分を超えて屋内側に侵入できない為、下水側の臭気や害虫類が屋内側に侵入されることを防止することができる。
このように、下水側の臭気や害虫類が屋内側に侵入することを防止する機能を「トラップ機能」と呼ぶ。また、管トラップの内部に溜まった、管体内部を満水状態とする排水を「封水」と呼び、封水を用いてトラップ機能を生じる排水トラップを「封水式排水トラップ」と呼ぶ。
【０００３】
この管トラップ以外にも多様な排水トラップが知られている。
特許文献２に記載した従来の排水配管は、槽体である洗面ボウルの底面に設けた排水口からの排水を、管体からなる排水配管によって下水側の配管である床下配管に接続した排水配管であって、配管の途中部分に、以下に説明するボトルトラップと呼ばれる排水トラップを接続してなる。
ボトルトラップは、ボトルトラップ本体と、オワン部とからなる。
ボトルトラップ本体は、下方が開口した、伏せたオワン形状を成す外壁部、外壁部の中央部分を上限に貫通する管体である防臭筒、外壁部側面に設けた排出口、から構成される。施工完了時、防臭筒の下端は、オワン部材の内部に配置される。
オワン部は有底円筒形状の部材であって、上方の開口がボトルトラップ本体の外壁部下方の開口に水密的に接続される。
上記したボトルトラップは、防臭筒の上流側の端部を排水口からの配管に、排出口からの配管を床下配管に向かう配管に、それぞれ接続して使用される。
洗面台を使用し、排水配管内に排水が流れると、排水は排水口からボトルトラップの防臭筒内を通過し、防臭筒下端からオワン部内に溜まり、最終的に排出口下端の水位まで達した上で、排出口から排出される。ボトルトラップ内部には、オワン部内部を超えて、排出口の下端位置まで排水が溜まる。このため、防臭筒内部の水面から、防臭筒外側面とオワン部材内部、及びボトルトラップ本体の外壁部内部であって排出口の下端までの流路が満水状態となり、臭気や害虫類はこの満水部分を超えて屋内側に侵入できない為、下水側の臭気や害虫類が屋内側に侵入されることを防止することができる。このように、この従来例のボトルトラップは、ボトルトラップ内部に溜まった排水が封水として機能し、トラップ機能を生じる封水式排水トラップである。
【０００４】
【特許文献１】特開平８−９３０２４号
【特許文献２】特開平７−７１０６１号
【発明の開示】
【発明が解決しようとする課題】
【０００５】
上記のように構成した従来例の排水トラップには、以下のような問題点があった。
排水配管は、洗面台や流し台、浴室・浴槽等、各種の機器を使用した際に生じる排水を排出・処理するための配管であり、内部を流れる排水には毛髪・塵芥・油分・薬品成分・砂などが混入している。これらの成分が排水配管を構成する管体や管トラップ、ボトルトラップ等の内側面に付着したり堆積したりすることで排水配管内部の流路が狭くなり、また排水配管の流路が詰まり、閉塞する等の問題があった。このように排水配管の内部に塵芥等が付着し、その内部を清掃等する必要が生じた場合、大別して二通りの清掃方法があった。  
第一の清掃方法は、排水口から金属線をコイル状に巻いたことで、軸方向に剛性があり側面方向に可撓性を備えたコイル線状清掃治具や、軸方向に剛性があり側面方向に可撓性を備えたホース管の先端より高圧の吐水を行う高圧洗浄式清掃治具を用い、これらを排水口から排水配管内に挿通して、排水配管内の管詰まりや汚れを破砕し、または下流側に押し流す方法である。以下、コイル式清掃治具や、高圧洗浄式清掃治具のような、軸方向に剛性、側面方向に多少の可撓性を備えて、排水口等の開口部分から挿通し、排水配管内部に沿って挿通させて排水配管内部を清掃等する線状の清掃治具を「線状清掃治具」と記載する。
第二の清掃方法は、排水配管の途中部分に設けた枝管等の開口部分より、排水配管の外部から内部へブラシなどの清掃治具を挿入することで、排水配管の内部を清掃する方法である。尚、通常排水配管の途中に設けられた枝管等の開口部分は、蓋部材によって閉塞されてなる。
いずれの清掃方法も排水配管内部の清掃や管詰まりを解消することができるが、作業にかかる手間は、第一の清掃方法が排水口から線状清掃治具を挿入するだけで済むのに対し、第二の清掃方法はキャビネット部等を開き、その内部の収納物を作業の邪魔にならないように取り出した上で排水配管上の蓋部材を取り外し、狭い開口部分から排水配管内部をブラシなどで清掃し、清掃後は再び蓋部材を取り付けなければならない上、場合によっては排水配管の内部に溜まった封水等の排水の漏れに対応しなければならない為、第一の清掃方法のほうが作業としては簡単である。
一方、清掃の確実性としては、管詰まり箇所や汚れ箇所に近い位置から清掃作業を行うことができる点から、第二の清掃方法の方がより確実・効果的に汚れや管詰まりの原因となる塵芥等を取り除くことができる。
このため、管体の清掃方法としては、第一の清掃方法と、第二の清掃方法を、状況に合わせて使い分けるようにする場合が多い。
【０００６】
しかしながらこれらの各清掃方法を、上記した排水トラップを採用した排水配管に使用した場合には、次のような問題が発生していた。
【０００７】
第一の清掃方法は、特許文献１に記載の管トラップを採用した排水配管に使用する場合には特に問題なく使用できる。即ち排水口から挿通された線状清掃治具は排水配管び排水配管上の管トラップの内面に沿って曲がりながら下流側に挿通され、排水配管内に付着した塵芥等を破砕し、また排水配管内に付着した汚れを除去しながら下流側に移動する。
一方、第一の清掃方法は、特許文献２に記載のボトルトラップを採用した排水配管に使用することはほぼ不可能である。なぜなら、排水口から挿通された線状清掃治具は配管及び防臭筒の内面に沿って曲がりながらオワン部内部に到達する。しかしながら、そこで線状清掃治具の先端はオワン部の底面に付き当たるか、または底からオワン部の底面に沿って水平方向に移動したとしても、底面と側面の突き当たり部分に当たって移動できなくなる。また、仮にオワン部材の内側側面に沿って上昇できたとしても、その際に上方する位置・方向が排出口に向かう位置・方向であることは殆どなく、仮に排出口に向かう方向に移動したとしても、排出口の高さ位置に達した状態から更に排出口に向かって先端が曲がることはありえないためである。このため、第一の清掃方法は、特許文献２に記載のボトルトラップに利用することはできない。
【０００８】
第二の清掃方法は、特許文献２に記載のボトルトラップに対しては極めて有効で、ボトルトラップ本体から、蓋部材として機能するオワン部を分離することで、内部が簡単且つ広い範囲で露出し、清掃を容易に行うことができる（但し、オワン部材内部に溜まった封水が当然こぼれるため、水受け等の手間がかかる）。
しかしながら、特許文献１に記載の管トラップに対しては、この第二の清掃方法はあまり有効な方法ではなかった。なぜなら、管トラップ下端に設けられた枝管部分の開口は狭く、ブラシなど清掃用の治具を通すのは困難な上、管トラップは屈曲しており、管トラップの下端に設けられた枝管部分の開口から、屈曲部分の上流側又は下流側に向けてブラシ等の清掃治具を通すのも形状的に困難であるためである。結局、管トラップに対して第二の清掃方法を用いる場合は、排水配管の接続自体を解除し、管トラップ自体を取り出して、枝管部分の開口だけでなく、上流側／下流側の接続部分の開口からも清掃を行う必要がある場合がほとんどであり、清掃の手間が相当に掛かるものであった。
本発明は上記問題点に鑑み発明されたものであって、排水口からコイル状清掃治具又は高圧洗浄式清掃治具などの線状清掃治具を挿通する第一の清掃方法、配管途中に設けられた開口部分を覆う蓋部材を取り外し、内部を清掃する第二の清掃方法のいずれの方法でも良好に清掃作業を行うことができる排水トラップ、特に管トラップを提供するものである。
【課題を解決するための手段】
【０００９】
請求項１に記載の本発明は、排水配管上に配置される管トラップであって、内部に上流からの排水が流入し、下方に流れる第一下降部２と、内部に第一下降部２からの排水が流入し、上方に流れる上昇部４と、第一下降部２下端と上昇部４下端を繋ぐ部分であって、平面視第一下降部２下端外周縁及び上昇部４下端周縁に外接するか、それ以上に外側方向に幅を有し、下方が開放された第一連続部３と、からなるトラップ本体１ａと、該トラップ本体１ａの第一連続部３の開口部分７を開放又は閉塞可能な第一蓋部材１ｂと、側面視、内側面に第一下降部２から挿入された洗浄機具を上昇部４にガイドするガイド面８が第一蓋部材１ｂに構成されるとともに、ガイド面８は、第一連続部３内周面と連続して繋がっていることを特徴とする管トラップである。
【００１０】
請求項２に記載の本発明は、上記管トラップにおいて、第一蓋部材１ｂ及び第一連続部３を、平面視第一下降部２下端周縁及び上昇部４下端周縁に接するか、それ以上に外側方向に幅を有し、且つ第一下降部２及び上昇部４をその内部に収納する正円形状とすると共に、該第一蓋部材１ｂは、第一連続部３及び第一蓋部材１ｂの円弧に沿って設けられた、ネジ又は回転ロック構造によって、回転させることでトラップ本体１ａに接続されることを特徴とする段落０００９に記載の管トラップである。
【００１１】
請求項３に記載の本発明は、上記管トラップにおいて、トラップ本体１ａに、内部に上昇部４からの排水が流入し、下方に排出される第二下降部６を備え、上昇部４上端と第二下降部６上端を繋ぐ部分であって、平面視上昇部４上端外周縁及び第二下降部６上端周縁に外接するか、それ以上に外側方向に幅を有し、上方が開放された第二連続部５と、該トラップ本体１ａの第二連続部５の開口部分７を閉塞する第二蓋部材１ｂと、側面視、内側面に上昇部４から挿入された洗浄機具を第二下降部６にガイドするガイド面８と、を備えたことを特徴とする、段落０００９又は段落００１０に記載の管トラップである。
【００１２】
請求項４に記載の本発明は、上記管トラップにおいて、第二蓋部材１ｂ及び第二連続部５を、平面視上昇部４上端周縁及び第二下降部６上端周縁に接するか、それ以上に外側方向に幅を有し、且つ上昇部４及び第二下降部６をその内部に収納する正円形状とすると共に、該第二蓋部材１ｂは、第二連続部５及び第二蓋部材１ｂの円弧に沿って設けられた、ネジ又は回転ロック構造によって、回転させることでトラップ本体１ａに接続されることを特徴とする、段落００１１に記載の管トラップである。
【００１３】
請求項５に記載の本発明は、上記管トラップにおいて、少なくとも上昇部４内部の金型を、連続部の開口部分７から抜き出すことで、インジェクション成形としたことを特徴とする、請求項１乃至請求項４のいずれか一つに記載した管トラップの製造方法である。
【発明の効果】
【００１４】
請求項１に記載の本発明では、管トラップに、平面視第一下降部下端外周縁及び上昇部下端周縁に外接する、下方が開放された第一連続部を設け、第一連続部分の開口部分を閉塞する、側面視、内側面に第一下降部から挿入された清掃治具を第一上昇部にガイドするガイド面を備えた事で、排水口から線式線所治具を挿通する第一の清掃方法では、ガイド面によって線状清掃治具を支障なく下流側に挿通することができる。また蓋部材を取り外して内部を清掃する第二の清掃方法では、第一連続部が第一下降部下端外周縁及び上昇部下端周縁に外接する構造であることから、その下方に設けられた開口部分は、第一下降部下端外周縁及び上昇部下端周縁に外接するように構成されており、開口部分から第一下降部、及び上昇部の内側面をほぼ直線的に視認し、またブラシなどの清掃治具を直線的に挿通することができ、やはり容易且つ確実に清掃を行うことができる。
請求項３に記載の本発明においても、請求項１に記載の発明とほぼ同様に、上昇部と第二か孔部とを繋ぐ第二連続部において、第一の清掃方法では、ガイド面によって線状清掃治具を支障なく下流側に挿通することができる。また蓋部材を取り外して内部を清掃する第二の清掃方法では、第二連続部の開口部分から上昇部、及び第二下降部の内側面をほぼ直線的に視認し、またブラシなどの清掃治具を直線的に挿通することができ、やはり容易且つ確実に清掃を行うことができる。
請求項２、請求項４に記載の本発明では、蓋部材のトラップ本体への接続取り付けを、ネジ又は回転ロック構造によって回転させることで行うようにしたことで、第一の清掃方法、即ち線状清掃治具を排水口から挿通する場合に、蓋部材の内側から外側（蓋部材の外れ方向）に当たって蓋部材に外方向に向かう応力が加わったとしても、応力の方向が蓋部材のロック解除の方向とは異なる為、蓋部材がトラップ本体から外れることは無い。
請求項５に記載の発明では、上昇部の内側に配置される金型を、第一連続部の開口部分、または第二連続部がある場合には第一連続部又は第二連続部の開放部のいずれか一方、又は両方から抜き出すことで、上昇部内部をも金型を当てた状態で成形することができ、トラップ本体をインジェクション成形とすることができる。
【図面の簡単な説明】
【００１５】
【図１】第一実施例の排水配管を採用した流し台を示す断面図である。
【図２】第一実施例の排水配管の、部材構成を示す断面図である。
【図３】第一実施例の管トラップ部材を示す断面図である。
【図４】図３の管トラップ部材に線状清掃治具を使用した状態を示す断面図である。
【図５】第一実施例の管トラップ部材の、一部を切り欠きした斜視図である。
【図６】第一実施例の管トラップ部材の、蓋部材を外した状態を示す断面図である。
【図７】第一実施例の管トラップ部材の、蓋部材を外した状態を示す斜視図である。
【図８】第一実施例のトラップ本体の平面図である。
【図９】第一実施例のトラップ本体の底面図である。
【図１０】その他の実施例の管トラップ部材を示す断面図である。
【図１１】図１０の管トラップ部材に線状清掃治具を使用した状態を示す断面図である。
【図１２】図１０の管トラップ部材の、一部を切り欠きした斜視図である。
【図１３】図１０の管トラップ部材の、蓋部材を外した状態を示す断面図である。
【図１４】図１０の管トラップ部材の、蓋部材を外した状態を示す斜視図である。
【図１５】図１０の管トラップ部材の、トラップ本体の平面図である。
【図１６】図１０の管トラップ部材の、トラップ本体の底面図である。
【図１７】段落００２２に記載の実施例の管トラップ部材を示す断面図である。
【図１８】段落００２３に記載の実施例の管トラップ部材を示す断面図である。
【実施例】
【００１６】
以下に、本発明の第一実施例について、図面を参照しつつ説明する。
図１乃至図９に示した、本発明の第一実施例の管トラップを採用した排水配管は、以下に記載する、槽体としてのシンクＳを備えた流し台Ｋに施工される排水配管であって、排水口本体９、板ナット部材１０、管トラップ部材１、及び各部材間を接続する、直線形状や曲がり形状等に成形された管体より構成される。
流し台Ｋは、槽体としてのシンクＳと、該シンクＳを載架するキャビネット部Ｃから構成される。
シンクＳは、上方に開口したステンレス材からなる箱体であって、その底面には排水口本体９を取り付ける取付孔を備えてなる。
キャビネット部Ｃは、前方に開閉自在な扉部分を備えた箱体であって、屋内の床面上に配置され、その内部に排水配管が施工される。
排水口本体９は、水平方向に比べ上下方向に幅狭な、有底円筒形状の部材であって、その内部に排水口９ａを形成してなり、該排水口９ａの周縁部分に、外方向に向かって設けられたフランジ部９ｂを備えてなる。また、該フランジ部９ｂの下方に雄ネジが配置され、更に該雄ネジの下方であって側面方向に、排水を排出する排出口９ｃが構成されてなる。
板ナット部材１０は、略円筒形状を成す部材であって、内側面には排水口本体９の雄ネジと螺合する雌ネジを備えてなる。また、施工完了時上端部分が排水口本体９のフランジ部９ｂ下面と対抗するように構成されてなる。
管トラップ部材１は、以下に記載するトラップ本体１ａ、及び蓋部材１ｂより構成されてなる。
トラップ本体１ａは、更に、以下に記載する、上流側から順に第一下降部２、第一連続部３、上昇部４、第二連続部５、第二下降部６、の各部から構成されてなる。
第一下降部２は、略垂直方向に延出された円筒形状を成す管体部分であって、その上端には排水口本体９からの配管が接続される。
第一連続部３は、第一下降部２と後述する上昇部４とを連通する部分であって、図８また図９に示したように、平面視又は底面視において正円形状を成し、またその下方は開放された開口部分７を備えてなると共に、その外側面部分には、後述する蓋部材１ｂと嵌合する嵌合部１１を備えてなる。
また、図３乃至図７等に示したように、第一連続部３において、第一下降部２及び上昇部４は互いに接するように配置されてなり、更に第一連続部３の正円形状は、平面視第一下降部２下端周縁及び上昇部４下端周縁に接すると共に、第一下降部２及び上昇部４をその内部に収納する正円形状にて構成されてなる。
上昇部４は、第一連続部３から斜め上方に向かって延出された略円筒形状を成す管体部分である。
第二連続部５は、上昇部４と後述する第二下降部６とを連通する部分であって、図８また図９に示したように、平面視において正円形状を成し、またその上方は開放されて開口部分７を備えてなると共に、その外側面部分には、後述する蓋部材１ｂと嵌合する嵌合部１１を備えてなる。
尚、第一連続部３の開口部分７と第二連続部５の開口部分７、及び嵌合部１１はいずれも同一の形状を備えてなる。
また、図３乃至図７に示したように、第二連続部５において、上昇部４及び第二下降部６は互いに接するように配置されてなり、更に第二連続部５の正円形状は、平面視上昇部４上端周縁及び第二下降部６上端周縁に接すると共に、上昇部４及び第一下降部２をその内部に収納する正円形状にて構成されてなる。
第二下降部６は、略垂直方向に延出された略円筒形状を成す管体部分であって、その下端には床下配管に繋がる配管が接続される。
また、該トラップ本体１ａは、第一連続部３及び第二連続部５が、上昇部４をその内部に収納する正円形状にて構成されたことによって、第一連続部３及び第二連続部５の開口部分７から、成形時に上昇部４の内側に当てた金型を抜き出す構造とした、インジェクション成形によって成形されてなる。
蓋部材１ｂは、上記トラップ本体１ａの第一連続部３及び第二連続部５の開口部分７を閉塞する部材であって、平面視は正円形状を、側面視は円弧形状を備えてなる。平面視正円形状、側面視円弧形状を成すことから明らかなように、蓋部材１ｂは球体の一部を平面にて切断したような形状を成す。
また、この円弧形状の上方の内側面に、第一連続部及び第二連続部５の開口部分７の嵌合部１１と嵌合する被嵌合部１２を備えてなる。
該被嵌合部１２は、蓋部材１ｂの円弧に沿って設けられた回転ロック構造であって、水平方向に回転させることで、トラップ本体１ａの第一連続部３及び第二連続部５の開口部分７に設けられた嵌合部１１と水密的に嵌合する。
尚、第一連続部３の開口部分を閉塞する蓋部材１ｂは第一蓋部材、第二連続部５の開口部分７を閉塞する蓋部材１ｂは第二蓋部材であるが、本実施例では第一連続部３及び第二連続部５の開口部分７及び嵌合部１１は同一形状であり、これを閉塞する第一蓋部材及び第二蓋部材も同一形状で何ら差異が無いものを使用するため、いずれも単に蓋部材１ｂとし、特に第一蓋部材又は第二蓋部材として区別はしない。第一連続部３の開口や嵌合部１１と、第二連続部５の開口や嵌合部１１とで形状が異なり、それぞれに異なる形状の蓋部材１ｂを用いる場合は、それぞれに対応した第一蓋部材また第二蓋部材を用いる。
また、上記した側面視における円弧形状は、第一連続部３においては第一下降部２から挿通された線状清掃治具Ｌを円弧に沿って上昇部４下端までガイドし、第二連続部５においては上昇部４から挿通された線状清掃治具Ｌを円弧に沿って第二下降部６上端までガイドする。即ち、円弧部分がガイド面８である。
【００１７】
以下に、本実施例の施工手順を、図面を参照しつつ説明する。尚、特に詳述しないが、各部材の接続部は、必要に応じて接着／パッキングを介したネジ締めなどの方法によって、水密的に接続される。
また、施工を行う前に、第一連続部３及び第二連続部５の開口部分７に、蓋部材１ｂをそれぞれ回転ロック構造を利用して水密的に嵌合させ、第一連続部３及び第二連続部５の開口部分を閉塞しておく。
まずシンクＳ底面に設けられた取付孔に、排水口本体９を挿通し、取付孔の周縁上面にフランジ部９ｂ下面が当接するようにする。更に板ナット部材１０をシンクＳ下方から排水口本体９に挿通し、排水口本体９の雄ネジを板ナット部材１０の雌ネジに螺合させて、フランジ部９ｂ下面と板ナット部材１０上面とで取付孔周縁を挟持し、排水口本体９をシンクＳに対して接続固定する。
次に曲がり形状の管体Ｐ１の一端を排水口本体９の排出口９ｃに接続し、更に曲がり形状の管体Ｐ１の他端をトラップ本体１ａの上流側端部、即ち第一下降部２上端に接続する。事前に管体の長さや位置・方向を調整しておくことで、トラップ本体１ａがキャビネット部Ｃ内の奥側の壁面に沿うように配置する。更にトラップ本体１ａの下流側端部、即ち第二下降部６の下端を、直線状の管体Ｐ２に接続し、この直線状の管体Ｐ２を床下配管に接続することで、本実施例の管トラップを採用した排水配管の施工が完了する。
【００１８】
上記のように構成した、流し台Ｋを使用する場合、流し台Ｋの使用により、シンクＳ内に排水が生じると、排水は、排水口９ａから、排水口本体９内部、排出口９ｃ、曲がり形状の管体Ｐ１、管トラップ部材１、直線状の管体Ｐ２、の順に通過し、最終的には床下配管から下水側に排出される。
この際、管トラップ部材１の内部において、第一下降部２から第一連続部３、及び上昇部４の間に排水が溜まって管トラップ部材１の流路の少なくとも一部が満水状態となり、この溜り水が封水となって、管トラップ部材１が封水式排水トラップとして機能する。
【００１９】
上記のように構成した本実施例の管トラップ部材１について、排水配管内に管詰まりが生じた場合や、内部に汚れが付着するなどして清掃又はメンテナンスを行う場合には、以下のようにして清掃又はメンテナンスを行うことができる。
まず、排水口９ａからコイル線状清掃治具Ｌや高圧洗浄式清掃治具などの線状清掃治具Ｌを挿通して清掃を行う、第一の清掃方法の場合、線状清掃治具Ｌを、シンクＳ底面の排水口本体９の排水口９ａから、排出口９ｃ、曲がり形状の管体Ｐ１の内部を管体に沿って挿通し、管トラップ部材１の上流側の端部、第一下降部２上端まで達するようにする。そのまま線状清掃治具Ｌの挿通を行うと、線状清掃治具Ｌは、第一下降部２を通過し、第一連続部３の蓋部材１ｂ内面に達する。そして、線上清掃治具は、そのまま蓋部材１ｂの円弧形状、即ちガイド面８に沿って移動し、上昇部４下端から、上昇部４内をその内面に沿って上昇する。更に、上昇部４上端から第二連続部５の蓋部材１ｂ内面の円弧形状（ガイド面８）に沿って移動し、第二下降部６の上端に達し、そのまま第二下降部６内を降下させることができる。これらの線状清掃治具Ｌの移動によって、管詰まりの原因となった塵芥や、管体内部に付着した汚れを取り除き、管トラップ部材１を含む排水配管の内部を清掃することができる。
【００２０】
また、管トラップ部材１の蓋部材１ｂを取り外して清掃を行う、第二の清掃方法の場合、キャビネット部Ｃを開放して、キャビネット部Ｃ内の収納物を取り出し、管トラップ部材１の下方に、洗面器などの水受けを配置する。この状態から、第一連続部３の蓋部材１ｂを回転させ、嵌合部１１と被嵌合部１２の回転ロックによる嵌合を解除すると、第一連続部３の下方の開口部分７が開放される。この際に封水が漏れるが、水受けによってキャビネット部Ｃ内が汚されることを防止することができる。
その後、この第一連続部３の開口部分７から、ブラシなどの清掃治具を挿入して、トラップ本体１ａ内部を清掃することができる。この場合、開口部分７は第一下降部２下端外周縁及び上昇部４下端周縁に外接するように構成されており、開口部分７から第一下降部２、及び上昇部４の内側面をほぼ直線的に視認し（角度的に鏡等を利用する場合もある）、またブラシなどの清掃治具を直線的に挿通することができ、管トラップ部材１内部の塵芥等の詰まり物質や汚れ等を容易且つ確実に清掃を行うことができる。
また、第二下降部６内に対して清掃を行う場合は、第二連続部５の蓋部材１ｂの嵌合を解除し、この第二連続部５の上方の開口部分７からブラシなどの清掃治具を挿通してトラップ本体１ａ内部の清掃を行うことができる。この場合も、開口部分７は上昇部４上端周縁及び第二下降部６上端外周縁外接するように構成されており、開口部分７から上昇部４、及び第二下降部６の内側面をほぼ直線的に視認し、またブラシなどの清掃治具を直線的に挿通することができ、管トラップ部材１内部の塵芥等の詰まり物質や汚れ等を容易且つ確実に清掃を行うことができる。
尚、清掃完了後は、再び第一連続部３及び第二連続部５の開口部分の嵌合部１１と、蓋部材１ｂの被嵌合部１２とを回転ロックにより嵌合させ、開口部分７を閉塞して、本実施例の排水配管の清掃が完了する。
【００２１】
本発明の実施例は以上のようであるが本発明は上記実施例に限定される物ではなく、主旨を変更しない範囲において自由に変更が可能である。
例えば、上記第一実施例では、第一連続部３及び第二連続部５は、いずれも平面視正円形状であり、これを回転ロックによって接続してなるが、本発明は上記実施例に限定されるものであは無く、図１０乃至図１６に示した実施例のように、側面視は本実施例と同じ円弧形状にてガイド面８を形成しつつ、平面視は略楕円形状とし、開口部分７及び蓋部材１ｂの接続を、開口部分及び蓋部材１ｂの周縁に鍔部１３を設け、この鍔部１３同士を突き合わせた状態で、略Ｃ字形状に形成したバンド部材１４によって接続するように構成しても構わない。この場合、第一本実施例と比べ、平面視においてコンパクトな形状とすることができる。
【００２２】
また、上記実施例では、管トラップに第二連続部５と第二下降部６を構成して側面視Ｓの字を横に倒したような形状の管トラップとして構成してなるが、本発明は上記実施例に限定されるものでは無く、配管のレイアウト構成によっては、図１７に示したように、第一下降部２、第一連続部３、上昇部４までを構成し、上昇部４の上端から略水平方向に管体を延出した、側面視Ｐの字を横に倒したような形状の管トラップとして構成しても構わない。
【００２３】
また、上記実施例では、蓋部材１ｂの開口部分７周縁に被嵌合部１２を設けてなるが、本発明は上記実施例に限定されるものでは無く、図１８に示したように、開口やガイド面８とは離間した位置に鍔部１３を設け、この鍔部１３をバンド部材１４にて固定し接続を行う構成としても構わない。このような構造であっても、蓋部材１ｂの内部に設けられたガイド面８の機能には何ら問題はなく、上記した本発明の機能・効果を奏することができる。
【００２４】
また、上記実施例では、ガイド面８は全て側面視円弧形状からなるように構成してなるが、本発明は上記実施例に限定されるものでは無く、側面視直線状の傾斜面等によって構成しても、トラップ本体１ａ内側面と蓋部材１ｂの内側面の継ぎ目部分に線状清掃治具Ｌの移動を阻害する凹凸や角等を生じない限り構わない。
【符号の説明】
【００２５】
１    管トラップ部材          １ａ  トラップ本体
１ｂ  蓋部材                  ２    第一下降部
３    第一連続部              ４    上昇部
５    第二連続部              ６    第二下降部
７    開口部分                ８    ガイド面
９    排水口本体              ９ａ  排水口
９ｂ  フランジ部              ９ｃ  排出口
１０  板ナット部材            １１  嵌合部
１２  被嵌合部                １３  鍔部
１４  バンド部材              Ｃ    キャビネット部
Ｋ    流し台                  Ｌ    線状清掃治具
Ｐ１  曲がり形状の管体        Ｐ２  直線状の管体
Ｓ    シンク
【図１】
0006488456.tif 000002
【図２】
0006488456.tif 000003
【図３】
0006488456.tif 000004
【図４】
0006488456.tif 000005
【図５】
0006488456.tif 000006
【図６】
0006488456.tif 000007
【図７】
0006488456.tif 000008
【図８】
0006488456.tif 000009
【図９】
0006488456.tif 000010
【図１０】
0006488456.tif 000011
【図１１】
0006488456.tif 000012
【図１２】
0006488456.tif 000013
【図１３】
0006488456.tif 000014
【図１４】
0006488456.tif 000015
【図１５】
0006488456.tif 000016
【図１６】
0006488456.tif 000017
【図１７】
0006488456.tif 000018
【図１８】
0006488456.tif 000019